(57)【要約】      （修正有）【課題】水槽を簡単かつ確実に斜めに吊下げ支承でき、その結果、乾燥行程時には洗濯兼脱水槽内の衣類が上下方向に入れ替りやすく、衣類に皺が生じたり、乾燥ムラが発生することを防止でき、また、洗い行程では水流を複雑にできてより一層の洗浄効果が期待でき、さらに洗濯兼脱水槽内からの衣類の取出し作業を行いやすくできる洗濯機を提供する。【解決手段】外箱１内にその四隅から吊下げ手段によって水槽３を吊下げ、底部に攪拌翼を配設した洗濯兼脱水槽を前記水槽３内に配設し、洗濯兼脱水槽の下方にギヤ、クラッチなどの機構を介してモータ３３を配設した洗濯機において前記吊り下げ手段は、下部に振動部分１５を有する吊り棒５に相対して組み込み、前記吊り棒を長手方向に上下駆動させるユニットを備えた。【選択図】図１
2008054937.tif 000002
【特許請求の範囲】
【請求項１】
外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設した洗濯機において、前記吊り下げ手段は、下部に振動部分を有する吊り棒に相対して組み込み、前記吊り棒を長手方向に上下駆動させるユニットを備えたことを特徴とする洗濯機。
【請求項２】
前期吊下げ手段は、少なくとも後方のコーナー部２箇所に設け、前側２箇所は球面座による従来形の吊り棒による吊下げ手段とした請求項１記載の洗濯機。
【発明の詳細な説明】
【技術分野】
【０００１】
本発明は、洗濯機の水槽の吊り下げ手段に関するものである。
【背景技術】
【０００２】
一般に、洗濯機は外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設したもので、外箱の上部の四隅部から、吊り棒を主体とする吊下げ手段によって水槽が吊持されており、この槽体の内部に、洗濯槽と脱水槽とを兼ねる内槽が配設されている。
【０００３】
下記特許文献１にも示されるが、吊下げ手段の従来構成としては、図１１及び図１２に示すように、洗濯機における外箱１の上部の四隅部（一箇所のみ代表して図示）に、それぞれ、凹部２ａを有する支持板２が設けられ、一方、外箱１内に配設される水槽３の下部の外周部には、挿通孔４ａを有する下部支持部４が一体に設けられている。
【特許文献１】特開２０００−２３７４９１号公報（図１２及び図１３）
【０００４】
そして、その下部支持部４の挿通孔４ａには、吊り棒５の下部が挿通されている。吊り棒５の下端部には、ワッシャワイヤ６を介してスプリング受け部材７が抜け止め状態に装着されており、その上方に、下から順に、圧縮コイルばねから成るスプリング８、ダンパケース９、ゴム製のダンパ部材１０、及び下部受け部材１１が、それぞれ吊り棒５に挿通された状態で装着され、その最上部に位置する下部受け部材１１が、前記下部支持部４の下面に下方から摺動可能に当接するようになっている。又、ダンパ部材１０の内周面と、これに対応する吊り棒５の下部外周面との間には、潤滑剤であるグリス１２が介在されている。
【０００５】
他方、吊り棒５の上端部には半球状の上部受け部材１３が装着されており、この上部受け部材１３が前記支持板２の球面凹部２ａに摺動可能に当接して支持され、球面軸受けとなるようになっている。そして、それら、吊り棒５と、上部受け部材１３、下部受け部材１１、ダンパ部材１０、ダンパケース９、スプリング８、スプリング受け部材７、ワッシャワイヤ６、並びにグリス１２により吊下げ手段１４が構成され、４組の吊下げ手段１４により、水槽３が外箱１に上下動可能に吊持されている。
【０００６】
そして、洗濯行程や脱水行程では洗濯物である衣類の洗濯兼脱水槽内での片寄りによるアンバランスによって、洗濯兼脱水槽や水槽に大きな振動が発生するが、吊り棒によってこの振動が外箱に伝わらないようにしている。
【発明の開示】
【発明が解決しようとする課題】
【０００７】
吊り棒５の上端部の上部受け部材１３と下部受け部材１１とは共に固定して設けられているものであり、その結果、吊り棒５の吊下げ長さは一定である。
【０００８】
洗濯兼脱水槽の形状は鉛直方向に長い円筒型で、かつ、洗濯兼脱水槽の回転中心軸が鉛直方向を向いているように水槽を鉛直に支承する場合はこのような吊下げ長さは一定の吊り棒５が適している。反面、水槽を前方に向かって斜めに傾斜させるように支承するには適していない。
【０００９】
一方、洗濯兼脱水槽や水槽が鉛直方向を向いているのでは、洗濯乾燥時において衣類の鉛直方向への回転移動が少なくなる傾向にあり、その結果、衣類が洗濯兼脱水槽内で上下方向に入れ替りにくくなって、衣類に皺が生じたり、乾燥ムラが生じたりしやすかった。
【００１０】
また、洗い行程でも、ほとんどが水平方向の単純な水流であり、洗浄効果が十分ではなかった。
【００１１】
さらに、洗濯兼脱水槽が長い円筒型であるため、このような形状の槽が垂直に配設されていると、槽内の衣類を取出す際、特に底部のものを取出しにくく、使い勝手がよくなかった。
【００１２】
本発明は前記従来例の不都合を解消するものとして、水槽を簡単かつ確実に斜めに吊下げ支承でき、その結果、乾燥行程時には洗濯兼脱水槽内の衣類が上下方向に入れ替りやすく、衣類に皺が生じたり、乾燥ムラが発生することを防止でき、また、洗い行程では水流を複雑にできてより一層の洗浄効果が期待でき、さらに洗濯兼脱水槽内からの衣類の取出し作業を行いやすくできる洗濯機を提供することを目的とする。
【課題を解決するための手段】
【００１３】
本発明は前記目的を達成するものとして、外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設した洗濯機において、前記吊り下げ手段は、一つの吊り下げ手段に相対し組み込まれる駆動ユニットによって、駆動されることを特徴とする。
【発明の効果】
【００１４】
水槽は、外箱内で四隅のうちの全部または一部を吊下げ長さを調整可能とした吊り棒による吊下げ手段を介して外箱から吊下げられるから、この吊下げ長さを変えることで外箱内で水槽を前側が低くなるように傾斜させて吊り支承できる。よって、洗濯兼脱水槽の回転中心軸が鉛直方向ではなく、斜め方向となるから、乾燥行程時には洗濯兼脱水槽内の衣類が鉛直方向に回転移動しやすくなり、皺の発生や乾燥ムラを抑えることができる。
また、駆動ユニットは、吊り棒に相対し組み込んでいるため、一つの駆動ユニットで複数の吊り棒を駆動させる場合に比べて、電力量の小さい電源で駆動させることができる。
【００１５】
また、洗い行程でも洗濯兼脱水槽の回転中心軸が斜め方向となることで、水流が複雑となって洗浄効果が増大する。
【００１６】
さらに、水槽を手前に傾斜させることで、洗濯兼脱水槽内の衣類を取出す際に槽の上部開口面が使用者の方に斜めに向き、洗濯兼脱水槽の手前の高さが低くなる。これにより、槽内を見やすくなって、衣類の取出し作業が行いやすくなる。
【００１７】
なお、吊り棒をネジ結合はある程度の結合長さを確保できるので、吊り棒を斜めにして水槽を吊り支承する場合にも、吊り棒を斜めにした状態で上部をしっかりと支えることができる。
【発明を実施するための最良の形態】
【００１８】
以下、図面について本発明の実施形態を詳細に説明する。図１は本発明の洗濯機の第１実施形態を示す側面側の説明図、図２は同上平面側の説明図、図３は同上要部である吊下げ手段の正面図で、洗濯機の全体構成は既に説明したとおり、洗濯機は外箱１内にその四隅から吊下げ手段１４によって水槽３を吊下げ、図示は省略するが底部に攪拌翼を配設した洗濯兼脱水槽を前記水槽内に配設し、洗濯兼脱水槽の下方にギヤ、クラッチなどの機構を介してモータ３３を配設している。
【００１９】
本発明は前記吊下げ手段１４として、図３に示すように、下部に防振部分１５を組み込んだ吊り棒５の上部に雄ネジ１６の部分を形成し、この雄ネジ１６の部分を雌ネジ回転体１８にネジ込んで吊下げ長さを調整可能とした。
【００２０】
合成樹脂製の外周ネジ管による雄ネジ１６は、吊り棒５の本体とインサート成形で製作を行うことになるが、その場合にはインサート成形時の熱収縮や、使用時の雰囲気温度による熱収縮（洗濯乾燥機では乾燥時の温度が７０℃となる）を緩和させる工夫が必要となる。
【００２１】
そこで本発明は、図５に示すように外周ネジ管による雄ネジ１６を長さ方向に分割するか、またはネジ１６ａのピッチ以下の幅のスリット２３を間隔を存して形成してこのような熱収縮に対応させる。
【００２２】
前記雌ネジ回転体１８はこれを外箱１の内側に突出させたフランジ状の吊り板２４に固定的にも設けてもよいが、下方に球面座を設け、これを外箱１の吊り板２４の球形凹部（図示せず）に係合させる。
【００２３】
防振部分１５は前記図１１、図１２に示した従来例と同じものでもよいが、他の従来例として、図１０に示すように、上部バネ受け２９と下部バネ受け３０間にバネ２７を配し、バネ２７の外周に弾性部材３１を嵌めたものでもよい。図中２８はゴムスプリングである。
【００２４】
弾性部材３１はゴム部材によるものであり、これによりバネ部材の鋼線とゴム部材とを摩擦摺動させ、振動を減衰させることで、脱水行程時の振動を抑える。
【００２５】
防振部分１５は、水槽３の側部から側方に突出させたフランジ２５に係止する。これにより、吊下げ手段１４が外箱１と水槽３との間に懸架される。
【００２６】
本発明の雄ネジ１６の部分を雌ネジ回転体１８にネジ込んで吊下げ長さを調整可能とした吊下げ手段１４は外箱１内の四隅に配置されるが、四隅の全てに本発明の構成による吊下げ手段１４を配置する必要はなく、少なくとも後方のコーナー部２箇所に設け、前側２箇所は球面座２６による従来形の吊り棒５（図１０参照）による吊下げ手段１４としてもよい。
【００２７】
次に動作について説明する。本発明の雄ネジ１６の部分を雌ネジ回転体１８にネジ込んでなる吊下げ手段１４は、雌ネジ回転体１８を回転することにより吊り棒５を雄ネジ１６を介して上下動でき、これにより吊り棒５の長さを調整できる。
【００２８】
このようにして後部に配置した吊り棒５を短くすれば、水槽３の後部が持ちあがる。なお。前側には球面座２６による従来形の吊り棒５があるが、この球面座２６が傾斜の支点となる。
【００２９】
その結果、水槽３は前方に向かって斜めに傾斜しているから、洗濯兼脱水槽内の衣類は効率よく上下方向に入れ替り、乾燥効率が向上する。また、洗い行程時にも水槽３を傾斜させることで、水流の方向が複雑になり、洗浄効果が増大する。
【００３０】
さらに、洗濯終了時に洗濯兼脱水槽内から衣類を取出す際にも、水槽３を手前に傾斜しているので、洗濯兼脱水槽の上部開口の手前側が低位置となると同時に洗濯兼脱水槽内が見やすくなり、衣類の取出し作業が行いやすくなる。
【００３１】
第２実施形態として、図示は省略するが、本発明の雄ネジ１６の部分を雌ネジ回転体１８にネジ込んでなる吊下げ手段１４は、これを少なくとも前方のコーナー部２箇所に設け、後ろ側２箇所は図１０に示す球面座２６による従来形の吊り棒５による吊下げ手段１４としてもよい。
【００３２】
この場合は、前部に配置した吊り棒５を長くすれば、水槽３は前方に向かって斜めに傾斜する。
【００３３】
さらに、本発明の第３実施形態として、図４に示すように、雌ネジ回転体１８を回転体とし、これを駆動部１７で回転駆動することにより、吊下げ長さを自動調整可能とすることもできる。
【００３４】
駆動部１７はＤＣモータによるもの、雌ネジ回転体１８はこのモータに歯合する嵌合歯車による。これら駆動部１７と雌ネジ回転体１８とで駆動ユニット（アクチュエーター）１９が形成され、吊り棒５の上部にこれが一体物として組み込まれる。
【００３５】
図中２０、２１は駆動ユニット（アクチュエーター）１９の上下位置で吊り棒５の駆動部分を埃や水分から保護する密閉ケースとしての防塵ケース、２２は駆動ユニット（アクチュエーター）１９の下面に形成する球面座である。
【００３６】
前記雌ネジ回転体１８はこれを合成樹脂とした場合は、少なくとも嵌合部である歯部分は金属とし、インサートで形成する。この嵌合部は摺動材（例えばグリス等）を塗布するか、歯車のインサート部分をポーラス状の金属として、その中に摺動材を含油させて自動注入させることができるものとする。
【００３７】
本発明の駆動ユニット（アクチュエーター）１９を組み込んだ吊下げ手段１４は外箱１内の四隅に配置されるが、図８、図９の例は四隅の全てに本発明の構成による吊下げ手段１４を配置する場合である。
【００３８】
次に動作について説明する。駆動ユニット（アクチュエーター）１９を組み込んだ吊下げ手段１４は、駆動部１７により雌ネジ回転体１８を回転駆動することにより吊り棒５を雄ネジ１６を介して上下動でき、これにより吊り棒５の長さを調整できる。
【００３９】
また、吊り棒５は球面座２２を介して洗濯機本体に保持されているため、洗濯・脱水等の運転時に発生する水槽３の円周方向の移動に対してはフレキシブルに稼動できる。よって、雌ネジ回転体１８を駆動させる駆動部１７には駆動以外の余分の負荷（水槽３の荷重・振動）が掛からない構造である。
【００４０】
例えば乾燥行程時や、洗い行程時や、洗濯終了時には、駆動ユニット（アクチュエーター）１９を駆動して後部に配置した吊り棒５を短くすれば、水槽３の後部が持ちあがる。
【００４１】
その結果、水槽３は前方に向かって斜めに傾斜するから、水槽３内の洗濯兼脱水槽はその回転中心軸が鉛直方向から斜め方向に変換され、洗濯兼脱水槽内の衣類は効率よく上下方向に入れ替り、乾燥効率が向上する。また、洗い行程時には水槽３を傾斜させることで、水流の方向が複雑になり、洗浄効果が増大する。
【００４２】
さらに、洗濯終了時に洗濯兼脱水槽内から衣類を取出す際にも、水槽３を手前に傾斜させれば、洗濯兼脱水槽の上部開口の手前側が低位置となると同時に洗濯兼脱水槽内が見やすくなり、衣類の取出し作業が行いやすくなる。
【００４３】
一方、脱水行程時には、水槽３を水平に位置させ洗濯兼脱水槽の回転中心軸を鉛直方向に保持することで、洗濯兼脱水槽を水平に回転させて遠心力を有効に活用させ脱水効率が低下しないようにする。
【図面の簡単な説明】
【００４４】
【図１】本発明の洗濯機の第１実施形態を示す側面側の説明図である。
【図２】本発明の洗濯機の第１実施形態を示す平面側の説明図である。
【図３】本発明の洗濯機の要部である吊下げ手段の正面図である。
【図４】吊下げ手段の要部の縦断正面図である。
【図５】吊り棒上部の雄ネジの部分を示す縦断正面図である。
【図６】吊り棒上部の雄ネジの部分を示す斜視図である。
【図７】吊り棒の斜視図である
【図８】本発明の洗濯機の第１実施形態を示す平面側の説明図である。
【図９】本発明の洗濯機の第１実施形態を示す平面側の説明図である。
【図１０】吊下げ手段の従来例を示す一部を省略した縦断正面図である。
【図１１】吊下げ手段の他の従来例を示す主要部分の、一部を省略した分解斜視図である。
【図１２】吊下げ手段の他の従来例を示す主要部分の、一部を省略した縦断正面図である。
【符号の説明】
【００４５】
１  外箱                        ２  支持板
２ａ  凹部                      ３  水槽
４  下部支持部                  ４ａ  挿通孔
５  吊り棒                      ６  ワッシャワイヤ
６ａ  フック部
７  スプリング受け部材          ８  スプリング
９  ダンパケース                １０  ダンパ部材
１１  下部受け部材              １２  グリス
１３  上部受け部材
１４  吊下げ手段                １５  防振部分
１６  雄ネジ                    １６ａ  ネジ
１７  駆動部                    １８  雌ネジ回転体
１９  駆動ユニット（アクチュエーター）
２０、２１  防塵ケース
２２  球面座                    ２３  スリット
２４  吊り板                    ２５  フランジ
２６  球面座                    ２７  バネ
２８  ゴムスプリング            ２９  上部バネ受け
３０  下部バネ受け              ３１  弾性部材
３３  モータ
【図１】
2008054937.tif 000003
【図２】
2008054937.tif 000004
【図３】
2008054937.tif 000005
【図４】
2008054937.tif 000006
【図５】
2008054937.tif 000007
【図６】
2008054937.tif 000008
【図７】
2008054937.tif 000009
【図８】
2008054937.tif 000010
【図９】
2008054937.tif 000011
【図１０】
2008054937.tif 000012
【図１１】
2008054937.tif 000013
【図１２】
2008054937.tif 000014